(57)【要約】【課題】  ホッパーモータ駆動用のパワーＩＣを保護する保護装置を備えたパチスロ等の遊技機において、既存の保護装置を構成する回路部品により検波回路を構成して不正電波による不正なメダル払い出しを未然に防止できるようにする。【解決手段】  短絡保護遅延回路９５のダイオード、コンデンサ、抵抗Ｒにより構成される不正電波検出手段により、外部から筐体を介して照射される不正電波が検出されると、ハイレベルの検出信号によってコンデンサが充電され、短絡検出回路９１のコンパレータの両入力端子が、その出力を短絡レベルと同等のレベルにすべくラッチされ、パワーＩＣ８１の保護用入力端子ＳＴがローレベルにされてパワーＩＣ８１の動作が停止され、これによりからホッパーモータ５７への電力供給が停止され、ホッパーモータ５７の誤動作により不正にメダルが払い出されることが防止される。【選択図】  図５
2008161296.tif 000002
【特許請求の範囲】
【請求項１】
筐体内に配設されたホッパータンク内の貯留メダルを所定枚数払い出すホッパーモータのパワーＩＣによる駆動を許容し、異常発生時には前記パワーＩＣの動作を停止させる保護装置を備えた遊技機において、
前記保護装置に含まれる回路素子からなる検波回路と、配線および基板パターンのアンテナとにより構成される不正電波検出手段を備え、
前記不正電波検出手段により不正電波を検出したときに、前記保護装置が作動して前記パワーＩＣの動作を停止させることを特徴とする遊技機。
【請求項２】
前記パワーＩＣは、
前記ホッパーモータに接続される一対の出力端子と、前記ホッパーモータの駆動電力を生成する電源回路に接続される電力用入力端子と、保護用入力端子とを有し、前記電源回路から前記電力用入力端子に入力される電力を前記出力端子に出力して前記ホッパーモータを駆動するものであって、前記保護用入力端子の入力信号が許可レベルのときは前記出力端子から前記ホッパーモータへの電力供給が可能となる一方、該入力信号が禁止レベルのときは前記出力端子から前記ホッパーモータへの電力供給が不可能となるように構成され、
前記保護装置は、
前記パワーＩＣによる前記ホッパーモータへの電力供給中に前記出力端子とグラウンドとの間または前記出力端子同士の間で短絡が生じたか否かを検出する短絡検出回路と、
前記短絡検出回路により前記短絡が検出されると所定の遅延時間だけ待機し、該遅延時間の間、前記短絡が継続していれば、前記パワーＩＣの前記保護用入力端子の入力信号を前記禁止レベルにラッチする保護回路とを備え、
前記電源回路と前記電力用入力端子との間に接続される電流検出抵抗を備え、
前記短絡検出回路は、
前記電流検出抵抗の前記電源回路側に接続され、前記短絡を検出するための短絡用基準電圧を生成する基準電圧生成回路と、
前記電流検出抵抗の前記電力用入力端子側からの入力電圧と前記短絡用基準電圧とを比較して、出力端子からの出力信号を正常のときは正常レベルにし、前記短絡のときは短絡レベルにする比較回路と
を備えたもので、
前記保護回路は、
前記比較回路から短絡レベルの出力信号が出力されると前記保護用入力端子の入力信号を前記禁止レベルに切り換える一方、前記比較回路から正常レベルの出力信号が出力されると前記保護用入力端子の入力信号を前記許可レベルに切り換える短絡保護回路と、
前記比較回路の出力端子にダイオードを介して接続され、前記短絡レベルの出力信号により充電される積分回路と、
前記積分回路に接続され、該積分回路の電圧が所定レベルに達すると、前記比較回路からの出力信号を短絡レベルにラッチするラッチ回路と
を備えたもので、
前記検波回路は、前記比較回路の出力端子に接続された前記ダイオードおよび前記積分回路により構成され、
前記積分回路は、前記不正電波検出手段による不正電波の検出信号により充電され、不正電波の検出信号による前記積分回路の充電に伴う前記ラッチ回路のラッチ動作により、前記比較回路からの出力信号を短絡レベルと同等のレベルにラッチして、前記短絡保護回路により前記保護用入力端子の入力信号を前記禁止レベルに切り換えるものであることを特徴とする請求項１に記載の遊技機。
【請求項３】
前記比較回路は、前記電流検出抵抗の前記電力用入力端子側からの入力電圧と前記短絡用基準電圧とを比較して、出力端子からの出力信号を正常のときはローレベルにし、前記短絡のときはハイレベルにするもので、
前記短絡保護回路は、前記比較回路からハイレベルの出力信号が出力されると前記保護用入力端子の入力信号を前記禁止レベルに切り換える一方、前記比較回路からローレベルの出力信号が出力されると前記保護用入力端子の入力信号を前記許可レベルに切り換えるもので、
前記積分回路は、前記比較回路の出力端子からの前記ハイレベルの出力信号により充電されるとともに、前記不正電波検出手段によるハイレベルの検出信号により充電されるもので、
前記ラッチ回路は、前記積分回路の電圧が所定レベルまで上昇すると、前記比較回路からの出力信号をハイレベルにラッチするものである
ことを特徴とする請求項２に記載の遊技機。
【請求項４】
前記積分回路に接続され、所定の復帰指令信号が生成されると前記積分回路を放電することにより前記ラッチ回路によるラッチを解除するラッチ解除回路を備え、
前記パワーＩＣは、前記復帰指令信号が生成されると前記ホッパーモータへの電力供給が可能になるように構成されたもので、
前記ラッチ解除回路によるラッチの解除時に前記短絡検出回路により前記短絡が検出されているか、または、前記不正電波検出手段による不正電波の検出信号の出力が継続していれば、前記保護回路により前記パワーＩＣの前記保護用入力端子の入力信号が前記禁止レベルに戻される
ことを特徴とする請求項２または３に記載の遊技機。
【請求項５】
前記保護装置は、
前記ホッパーモータの駆動中に該ホッパーモータがロックしたか否かを検出するロック検出回路と、
前記ロック検出回路による前記ロックの検出が所定時間継続すると、前記パワーＩＣの前記保護用入力端子の入力信号を前記禁止レベルにラッチするロック遅延保護回路と
を更に備えたことを特徴とする請求項１ないし４のいずれかに記載の遊技機。
【発明の詳細な説明】
【技術分野】
【０００１】
本発明は、異常発生時に、ホッパーモータを駆動するパワーＩＣの作動を停止させる保護装置を備えた遊技機に関するものであり、不正電波照射時にも保護装置によりパワーＩＣの作動を停止させるようにしたものに関する。
【背景技術】
【０００２】
例えばパチンコなどの遊技機では、外部から不正な電波を使用してパチンコ玉を不正に排出させる行為を防止するために、電波検知機能部(アンテナ２４、電波検知回路２５)を搭載し、この電波検知機能部が所定電波（不正電波）を検知したときに、動作を規制する必要がある必要機能部の動作を禁止するようにした電源装置を設けることが記載されている（例えば特許文献１参照）。
【０００３】
【特許文献１】特開２００１−１１２９３９号公報（[００３１]、[００４１]、図１、図２、図９）
【発明の開示】
【発明が解決しようとする課題】
【０００４】
上記した特許文献に記載の電源装置は、電源基板に形成されたパターン（配線パターン）を電波受信用アンテナとして利用して電源基板と当該アンテナとを一体化しているものの、電波検知回路を別途設ける必要があるため、部品点数の増加およびコストの上昇を招くという問題がある。
【０００５】
特にパチスロの場合、メダル払い出し用のホッパーモータおよびこのホッパーモータを駆動するパワーＩＣを通常備えており、短絡の過電流によるパワーＩＣの劣化を防止するために保護装置が設けられるが、このような場合には保護装置のほかに不正電波によりホッパーモータを不正に駆動してメダルを払い出すいわゆるゴト行為を防ぐために、別途電波検知回路を設ける必要があり、部品点数の増加およびコストの上昇を抑えることができない。
【０００６】
本発明は、上記課題に鑑みてなされたもので、ホッパーモータ駆動用のパワーＩＣを保護する保護装置を備えたパチスロ等の遊技機において、既存の保護装置を構成する回路部品により検波回路を構成して不正電波による不正なメダル払い出しを未然に防止できるようにすることを目的とする。
【課題を解決するための手段】
【０００７】
上記目的を達成するために、本発明にかかる遊技機は、筐体内に配設されたホッパータンク内の貯留メダルを所定枚数払い出すホッパーモータのパワーＩＣによる駆動を許容し、異常発生時には前記パワーＩＣの動作を停止させる保護装置を備えた遊技機において、前記保護装置に含まれる回路素子からなる検波回路と、配線および基板パターンのアンテナとにより構成される不正電波検出手段を備え、前記不正電波検出手段により不正電波を検出したときに、前記保護装置が作動して前記パワーＩＣの動作を停止させることを特徴としている（請求項1）。
【０００８】
また、前記パワーＩＣは、前記ホッパーモータに接続される一対の出力端子と、前記ホッパーモータの駆動電力を生成する電源回路に接続される電力用入力端子と、保護用入力端子とを有し、前記電源回路から前記電力用入力端子に入力される電力を前記出力端子に出力して前記ホッパーモータを駆動するものであって、前記保護用入力端子の入力信号が許可レベルのときは前記出力端子から前記ホッパーモータへの電力供給が可能となる一方、該入力信号が禁止レベルのときは前記出力端子から前記ホッパーモータへの電力供給が不可能となるように構成され、前記保護装置は、前記パワーＩＣによる前記ホッパーモータへの電力供給中に前記出力端子とグラウンドとの間または前記出力端子同士の間で短絡が生じたか否かを検出する短絡検出回路と、前記短絡検出回路により前記短絡が検出されると所定の遅延時間だけ待機し、該遅延時間の間、前記短絡が継続していれば、前記パワーＩＣの前記保護用入力端子の入力信号を前記禁止レベルにラッチする保護回路とを備え、前記電源回路と前記電力用入力端子との間に接続される電流検出抵抗を備え、前記短絡検出回路は、前記電流検出抵抗の前記電源回路側に接続され、前記短絡を検出するための短絡用基準電圧を生成する基準電圧生成回路と、前記電流検出抵抗の前記電力用入力端子側からの入力電圧と前記短絡用基準電圧とを比較して、出力端子からの出力信号を正常のときは正常レベルにし、前記短絡のときは短絡レベルにする比較回路とを備えたもので、前記保護回路は、前記比較回路から短絡レベルの出力信号が出力されると前記保護用入力端子の入力信号を前記禁止レベルに切り換える一方、前記比較回路から正常レベルの出力信号が出力されると前記保護用入力端子の入力信号を前記許可レベルに切り換える短絡保護回路と、前記比較回路の出力端子にダイオードを介して接続され、前記短絡レベルの出力信号により充電される積分回路と、前記積分回路に接続され、該積分回路の電圧が所定レベルに達すると、前記比較回路からの出力信号を短絡レベルにラッチするラッチ回路とを備えたもので、前記検波回路は、前記比較回路の出力端子に接続された前記ダイオードおよび前記積分回路により構成され、前記積分回路は、前記不正電波検出手段による不正電波の検出信号により充電され、不正電波の検出信号による前記積分回路の充電に伴う前記ラッチ回路のラッチ動作により、前記比較回路からの出力信号を短絡レベルと同等のレベルにラッチして、前記短絡保護回路により前記保護用入力端子の入力信号を前記禁止レベルに切り換えるものであるとしてもよい（請求項２）。
【０００９】
また、前記比較回路は、前記電流検出抵抗の前記電力用入力端子側からの入力電圧と前記短絡用基準電圧とを比較して、出力端子からの出力信号を正常のときはローレベルにし、前記短絡のときはハイレベルにするもので、前記短絡保護回路は、前記比較回路からハイレベルの出力信号が出力されると前記保護用入力端子の入力信号を前記禁止レベルに切り換える一方、前記比較回路からローレベルの出力信号が出力されると前記保護用入力端子の入力信号を前記許可レベルに切り換えるもので、前記積分回路は、前記比較回路の出力端子からの前記ハイレベルの出力信号により充電されるとともに、前記不正電波検出手段によるハイレベルの検出信号により充電されるもので、前記ラッチ回路は、前記積分回路の電圧が所定レベルまで上昇すると、前記比較回路からの出力信号をハイレベルにラッチするものであるとしてもよい（請求項３）。
【００１０】
また、前記積分回路に接続され、所定の復帰指令信号が生成されると前記積分回路を放電することにより前記ラッチ回路によるラッチを解除するラッチ解除回路を備え、前記パワーＩＣは、前記復帰指令信号が生成されると前記ホッパーモータへの電力供給が可能になるように構成されたもので、前記ラッチ解除回路によるラッチの解除時に前記短絡検出回路により前記短絡が検出されているか、または、前記不正電波検出手段による不正電波の検出信号の出力が継続していれば、前記保護回路により前記パワーＩＣの前記保護用入力端子の入力信号が前記禁止レベルに戻されるとしてもよい（請求項４）。
【００１１】
また、前記保護装置は、前記ホッパーモータの駆動中に該ホッパーモータがロックしたか否かを検出するロック検出回路と、前記ロック検出回路による前記ロックの検出が所定時間継続すると、前記パワーＩＣの前記保護用入力端子の入力信号を前記禁止レベルにラッチするロック遅延保護回路とを更に備えたとしてもよい（請求項５）。
【発明の効果】
【００１２】
請求項１の発明によれば、検波回路およびアンテナにより構成される不正電波検出手段により、不正電波が検出されると、異常発生時における保護装置によるパワーＩＣの停止と同様、パワーＩＣの動作が停止されるため、不正電波の照射によるパワーＩＣの誤動作により不正にメダルが払い出されることが未然に防止される。
【００１３】
このとき、異常発生時にパワーＩＣの動作を停止させる保護装置に含まれる検波回路と、配線および基板パターンのアンテナとにより不正電波検出手段を構成しているため、従来のように電波検出手段を別途設ける必要もなく、簡単かつ安価な構成により不正電波による不正なメダル払い出しを防止することができる。
【００１４】
なお、遊技機に対する不正電波は、広帯域で数十Ｗ程度の比較的高出力で遊技機筐体に電波発生手段を接触させて照射されることが多いため、不正電波検出手段は、低感度で広帯域の電波を検出するように構成することが望ましい。
【００１５】
また、請求項２の発明によれば、電流検出抵抗に正常な電流が流れているときは比較回路の出力端子からの出力信号が正常レベルにされ、比較回路から正常レベルの出力信号が出力されると、短絡保護回路により保護用入力端子の入力信号が許可レベルにされてパワーＩＣからホッパーモータへの電力供給が可能な状態が継続される。
【００１６】
そして、短絡が生じると、比較回路の出力端子からの出力信号が短絡レベルにされ、比較回路から短絡レベルの出力信号が出力されると、短絡保護回路により保護用入力端子の入力信号が禁止レベルにされてパワーＩＣからホッパーモータへの電力供給が不可能な状態にされて、電力供給が停止される。
【００１７】
こうして、ホッパーモータへの電力供給が停止すると、短絡による過電流が電流検出抵抗に流れなくなるため、比較回路の出力端子からの出力信号は正常レベルに復帰し、比較回路から正常レベルの出力信号が出力されると、短絡保護回路により保護用入力端子の入力信号が許可レベルにされてパワーＩＣからホッパーモータへの電力供給が可能な状態に復帰して、ホッパーモータへの電力供給が再開される。このとき、短絡が継続していると、再びホッパーモータへの電力供給が停止される。このように、短絡が継続していると、ホッパーモータへの電力供給の停止および再開が繰り返される。ところで、比較回路の出力端子から短絡レベルの出力信号が出力されると、比較回路の出力端子に接続された積分回路が充電される。
【００１８】
そして、ホッパーモータへの電力供給の停止および再開が繰り返されると、積分回路の充電が断続的に行われるため、積分回路の電圧が徐々に上昇し、積分回路の電圧が所定レベルに達すると、ラッチ回路により比較回路からの出力信号が短絡レベルにラッチ（保持）される。このように、比較回路からの出力信号を短絡レベルにラッチ（保持）することによって、パワーＩＣの保護用入力端子の入力信号が禁止レベルにラッチ（保持）され、出力端子からホッパーモータへの電力供給が不可能になり、短絡による過電流が流れなくなって、パワーＩＣを確実に保護することが可能になる。
【００１９】
また、不正電波検出手段により不正電波が検出されると、不正電波の検出信号により積分回路が充電されて積分回路の電圧が徐々に上昇し、積分回路の電圧が所定レベルに達すると、ラッチ回路により比較回路からの出力信号が短絡レベルにラッチ（保持）され、パワーＩＣの保護用入力端子の入力信号が禁止レベルにラッチ（保持）されて出力端子からホッパーモータへの電力供給が停止されるため、不正電波による不正なメダル払い出しを確実に防止することができる。
【００２０】
このとき、比較回路の出力端子に接続されたダイオードおよび積分回路により不正電波検出手段の検波回路を構成して不正電波検出時にホッパーモータへの電力供給を停止できるため、簡単かつ安価な構成の不正電波検出手段により不正なメダル払い出しを確実に防止することが可能になる。
【００２１】
なお、ここでは、比較回路の出力端子からの短絡レベルの出力信号により、積分回路の電圧が所定レベルに達するまでの時間が遅延時間に相当する。ところで、不正電波の検出信号の場合は、不正電波の強度によって積分回路の電圧が所定レベルに達するまでの時間にばらつきはあるものの、短絡と同様、積分回路の電圧が所定レベルに達するまでの遅延は生じる。また、比較回路からの出力信号が短絡レベル或いはこれと同等のレベルにラッチ（保持）されていることから、積分回路の充電が継続して行われることになり、積分回路の電圧が所定レベルに達した状態が継続される。
【００２２】
更に、電源回路と電力用入力端子との間に接続される電流検出抵抗に流れる電流に基づき短絡か否かを検出しているため、短絡による過電流を確実に検出することができる。即ち、例えばパワーＩＣのグラウンド端子とグラウンドとの間に電流検出抵抗を接続した構成では、出力端子とグラウンドとが例えば金属製の異物により直接短絡されると、短絡による過電流は電流検出抵抗をバイパスして出力端子からグラウンドに直接流れてしまうこととなる。したがって、この場合には電流検出抵抗に流れる電流を監視していても短絡を検出することができないのに対して、請求項２の発明によれば、ホッパーモータへの電力供給は、電源回路から電流検出抵抗を介してパワーＩＣの電力用入力端子に入力される電力を出力端子からホッパーモータに供給することによって行われる。よって、出力端子とグラウンドとが例えば異物などにより直接短絡された場合でも、短絡による過電流は常に電流検出抵抗に流れることになるため、短絡を確実に検出することができる。
【００２３】
また、請求項３の発明によれば、電流検出抵抗に正常な電流が流れているときは比較回路の出力端子からの出力信号がローレベルにされ、比較回路からローレベルの出力信号が出力されると、短絡保護回路により保護用入力端子の入力信号が許可レベルにされてパワーＩＣからホッパーモータへの電力供給が可能な状態が継続される。
【００２４】
そして、短絡が生じると、比較回路の出力端子からの出力信号がハイレベルにされ、比較回路からハイレベルの出力信号が出力されると、短絡保護回路により保護用入力端子の入力信号が禁止レベルにされてパワーＩＣからホッパーモータへの電力供給が不可能な状態にされて、ホッパーモータへの電力供給が停止する。
【００２５】
こうして、ホッパーモータへの電力供給が停止すると、短絡による過電流が電流検出抵抗に流れなくなるため、比較回路の出力端子からの出力信号はローレベルに復帰し、比較回路からローレベルの出力信号が出力されると、短絡保護回路により保護用入力端子の入力信号が許可レベルにされてパワーＩＣからホッパーモータへの電力供給が可能な状態に復帰して、ホッパーモータへの電力供給が再開される。このとき、短絡が継続していると、再びホッパーモータへの電力供給が停止される。このように、短絡が継続していると、ホッパーモータへの電力供給の停止および再開が繰り返される。ところで、比較回路の出力端子からハイレベルの出力信号が出力されると、比較回路の出力端子に接続された積分回路が充電される。
【００２６】
そして、ホッパーモータへの電力供給の停止および再開が繰り返されると、積分回路の充電が断続的に行われるため、積分回路の電圧が徐々に上昇し、積分回路の電圧が所定レベルに達すると、ラッチ回路により比較回路からの出力信号がハイレベルにラッチ（保持）される。このように、比較回路からの出力信号をハイレベルにラッチ（保持）することによって、パワーＩＣの保護用入力端子の入力信号が禁止レベルにラッチ（保持）され、出力端子からホッパーモータへの電力供給が不可能になり、短絡による過電流が流れなくなって、パワーＩＣを確実に保護することが可能になる。
【００２７】
また、不正電波検出手段により不正電波が検出されると、ハイレベルの検出信号により積分回路が充電されて積分回路の電圧が徐々に上昇し、積分回路の電圧が所定レベルに達すると、ラッチ回路により比較回路からの出力信号が短絡レベルにラッチ（保持）され、パワーＩＣの保護用入力端子の入力信号が禁止レベルにラッチ（保持）されて出力端子からホッパーモータへの電力供給が停止されるため、不正電波による不正なメダル払い出しを確実に防止することができる。
【００２８】
また、請求項４の発明によれば、復帰指令信号が生成されると、積分回路に接続されたラッチ解除回路により積分回路の電圧が放電されることから、積分回路の電圧が所定レベル未満になれば、ラッチ回路によるラッチ状態が解除される。
【００２９】
このとき、短絡が解消していれば、ラッチ解除によって正常な動作が行われる一方、短絡が依然として続いていれば、保護回路によりパワーＩＣの保護用入力端子の入力信号が禁止レベルに戻され、ホッパーモータの動作が停止する。
【００３０】
また、復帰指令信号の生成時に不正電波が検出されなくなれば、ラッチ解除によって正常な動作が行われる。一方、例えばパチンコホールの店員などの特定の管理者が復帰指令信号を生成するための操作を行うため、管理者の面前で不正電波の照射が継続されるとは考え難く、不正電波検出の場合、復帰指令信号が生成されれば必然的に正常な動作が行われる。これに対し、上記したように短絡の継続の場合には、復帰指令信号の生成時に短絡が依然として続いていればホッパーモータの動作が停止することから、復帰指令信号の生成時にホッパーモータの動作が停止するか否かで短絡発生か否か認識することが可能になる。
【００３１】
このように、管理者が例えばスイッチ操作を行うなどの復帰指令信号の生成操作を行ったときに、ホッパーモータの動作が停止するか否かで短絡発生か否かを容易に認識することができる。
【００３２】
また、請求項５の発明によれば、ホッパーモータの駆動中に該モータがロックしたか否かが検出され、ロックの検出が所定時間継続すると、パワーＩＣの保護用入力端子の入力信号が禁止レベルにラッチ（保持）されるため、短絡に加えてホッパーモータのロックによる過電流に対してパワーＩＣを保護することができる。
【発明を実施するための最良の形態】
【００３３】
図１は本発明にかかるパワーＩＣの保護装置の一実施形態を備えたスロットマシンの外観を示す斜視図、図２はスロットマシンの要部の内部構成を示す右側面図である。このスロットマシン１は、例えば図１および図２に示すように構成されている。
【００３４】
＜全体構成＞
このスロットマシン１では、筐体３の前面が前面パネル５により開閉自在に閉塞され、この前面パネル５のほぼ中央高さの位置に操作板７が配設されると共に、この操作板７の上方に正面板９が配設されている。そして、正面板９には横長矩形の表示窓１１が設けられている。また、表示窓１１の内側には、それぞれ周面に複数の図柄が表示された左・中・右リール１３Ｌ，１３Ｍ，１３Ｒを含むリールユニット４３が配置され、表示窓１１からは、リール１３Ｌ，１３Ｍ，１３Ｒの図柄が上段・中段・下段の各々３個ずつ覗くように設定されている。
【００３５】
更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各リールの回転を開始させるためのレバー状のスタートスイッチ１９、左・中・右リール１３Ｌ，１３Ｍ，１３Ｒの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００３６】
また、正面板９の上方のほぼ中央には、動画などを表示して演出を行うための液晶表示器２７が設けられ、液晶表示器２７のすぐ上方には、各種の入賞図柄が表示された説明パネル２９が設けられ、これら液晶表示器２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００３７】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、左右方向で筐体３のほぼ中央位置にメダルの払出口３９が設けられ、この払出口３９から払い出されるメダルを受けるためのメダル受け４１が設けられている。また、筐体３の内部のリールユニット４３の下方には、メダルを払出口３９に排出するためのホッパーユニット４５が配設されている。
【００３８】
また、筐体３のメダル投入口２５のすぐ内側には、正規のメダルか否かを判別するメダルセレクタ４７が配設されている。そして、メダル投入口２５に投入されたメダルは、メダルセレクタ４７で正規のメダルと判別されると、ホッパーユニット４５のホッパータンク４５１内に落下する。一方、メダルセレクタ４７により正規のメダルと判別されなかったメダルや、正規のメダルと判別されてもクレジットメダルの最大貯留枚数（例えば５０枚）と一遊技あたりの最大投入枚数（例えば３枚）との合計枚数を超えて投入されたメダルは、メダルセレクタ４７により払出口３９からメダル受け４１に排出される。
【００３９】
また、図２中、ホッパーユニット４５の奥側（筐体３の前方から見てホッパーユニット４５の左方）には電源ボックス４８が配設されている。この電源ボックス４８にはスロットマシン１の電源を投入するための電源スイッチ（図示省略）が設けられるとともに、逆転スイッチ４９が設けられ、この逆転スイッチ４９の内部には逆転ＬＥＤ５０が設けられている。この逆転スイッチ４９および逆転ＬＥＤ５０については後述する。
【００４０】
図３はホッパータンクを取り外した状態のホッパーユニットの斜視図である。ホッパーユニット４５は、ホッパータンク４５１内のメダル５１が嵌挿される嵌挿部４５２（この実施形態では６個）が透設され、回転軸４５３周りに正転および逆転可能に構成されたディスク４５４と、付勢部材（図示省略）により付勢されたメダルキッカ４５５と、その駆動軸が回転軸４５３に連結されたホッパーモータ５７（図４）とを備えている。また、メダルキッカ４５５の近傍には、リード板４５６と案内壁４５７とでメダル排出通路４５８が形成されており、このメダル排出通路４５８が筐体３の払出口３９に連通している。
【００４１】
そして、ホッパーモータ５７（図４）の駆動により、ディスク４５４が正転（図３中、時計回り方向に回転）すると、嵌挿部４５２に嵌挿されたメダル５１が、付勢部材の付勢力に逆らってメダルキッカ４５５を押しつつガイドピン（図示省略）に案内されて嵌挿部４５２から徐々に抜け出す。メダル５１が嵌挿部４５２から完全に抜け出ると、メダルキッカ４５５が付勢部材の付勢力により元の位置に勢いよく復帰し、これによってメダル５１はメダル排出通路４５８を通って払出口３９に向けて弾き出されることとなる。
【００４２】
＜スロットマシンの電気的構成＞
図４はスロットマシン１の電気的構成を示すブロック図である。投入センサ５２は、筐体３内部のメダル投入口２５近傍に設けられ、投入されたメダルを１枚ずつ検知するものである。払出センサ５３は、ホッパーユニット４５の出口に設けられ、払出口３９に払い出されるメダルを１枚ずつ検知するものである。左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると一周ごとに突起部を検出してその検出信号をメイン制御基板６３に出力する。
【００４３】
ホッパーモータ５７は、ホッパーユニット４５のディスク４５４を回転させてメダル５１を払出口３９に向けて払い出すものである。モータ制御基板５９は、ホッパーモータ５７の駆動を制御する制御回路が実装された基板である。モータ制御基板５９の回路構成については後述する。なお、リール１３Ｌ，１３Ｍ，１３Ｒは、それぞれ、この実施形態では例えばステッピングモータによって回転駆動される。
【００４４】
また、このスロットマシン１では、遊技に関する制御を行うメインＣＰＵ６１が実装されたメイン制御基板６３と、遊技に関連する演出の制御を行うサブＣＰＵ７１が実装されたサブ制御基板７３とが別々に設けられている。
【００４５】
メイン制御基板６３のＲＡＭ６５はデータを一時的に記憶し、ＲＯＭ６７は予め設定されたデータを含む遊技機用プログラムを記憶する。メインＣＰＵ６１は、この遊技機用プログラムにしたがって動作することで、遊技に関する制御を行う。また、メインＣＰＵ６１は、遊技に関連するデータを演出制御データとしてサブＣＰＵ７１に送る。
【００４６】
サブ制御基板７３のメモリ７５は、データを一時的に記憶するＲＡＭ部と演出用プログラムを記憶するＲＯＭ部とからなる。サブＣＰＵ７１は、メインＣＰＵ６１からの演出制御データに基づき、演出用プログラムにしたがって動作することで、遊技に関連する演出の制御を行う。例えば、サブＣＰＵ７１は、遊技の進行や抽選結果などに対応して予め設定された演出パターンに応じて、液晶表示器２７に動画を表示したり、スピーカ３１Ｌ，３１Ｒから音楽を発生させたり、上部ランプ部３３や下部ランプ部３７Ｌ，３７Ｒの光源を一斉にあるいは個別に点滅させる。
【００４７】
遊技には、一般的な遊技である通常遊技と、遊技者にとって通常遊技よりも有利な遊技である特別遊技（ボーナスゲーム）とがある。通常遊技について簡単に説明すると、このスロットマシン１では、投入センサ５２によりメダル投入口２５からのメダル投入が検出されるか、あるいはベットスイッチ１５または最大ベットスイッチ１７の操作によりクレジットメダルの投入指示があると、ゲームが開始される。
【００４８】
そして、ゲーム開始後にスタートスイッチ１９を操作すると、まず、当選か否かの乱数抽選が行われ、ほぼ同時に、３個すべてのリール１３Ｌ，１３Ｍ，１３Ｒの回転が開始する。その後に、３個のストップスイッチ２１Ｌ，２１Ｍ，２１Ｒのうちの１個を操作すると、当該ストップスイッチ２１Ｌ，２１Ｍ，２１Ｒに対応したリール１３Ｌ，１３Ｍ，１３Ｒの回転が停止する。
【００４９】
そして、３個すべてのストップスイッチ２１Ｌ，２１Ｍ，２１Ｒを操作し終えると、３個すべてのリール１３Ｌ，１３Ｍ，１３Ｒの回転が停止する。このとき、所定の図柄が所定の位置に停止すると入賞になり、ホッパーユニット４５により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００５０】
＜制御回路のブロック構成＞
図５はホッパーモータ５７の制御回路の機能ブロックを示すブロック図、図６Ａおよび図６Ｂは図５の具体的な回路例の要部を示す回路図である。図６Ａは図５のほぼ左半部の回路を示し、図６Ｂは図６Ａの一部を含む図５のほぼ右半部の回路を示しており、図６Ａおよび図６Ｂで回路全体を示している。
【００５１】
（パワーＩＣ等）
パワーＩＣ８１は、ホッパーモータ５７を駆動するドライバＩＣで、モータ用出力端子ＯＵＴ１，ＯＵＴ２と、電力用入力端子ＶＳと、保護用入力端子ＳＴと、制御用入力端子ＩＮ１，ＩＮ２とを備えている。モータ用出力端子ＯＵＴ１はホッパーモータ５７の正端子に接続され、モータ用出力端子ＯＵＴ２はホッパーモータ５７の負端子に接続されている。電力用入力端子ＶＳは、電流検出抵抗Ｒ１を介してモータ電源回路ＶＤＤに接続されている。保護用入力端子ＳＴは、抵抗Ｒ１３を介してプルアップされている。制御用入力端子ＩＮ１は、抵抗Ｒ２３を介してプルアップされ、制御用入力端子ＩＮ２は、抵抗Ｒ２２を介してプルアップされている。また、制御用入力端子ＩＮ１は、更に逆転スイッチ４９に接続され、制御用入力端子ＩＮ２は、更にメインＣＰＵ６１の出力端子に接続されている。
【００５２】
モータ電源回路ＶＤＤは、ホッパーモータ５７を駆動するための電力を生成するもので、電圧Ｖｄｄ（この実施形態では例えばＤＣ２６Ｖ）を出力する。また、低圧電源回路ＶＣＣは、各回路素子を駆動するための電力を生成するもので、電圧Ｖｃｃ（この実施形態では例えばＤＣ７Ｖ）を出力する。
【００５３】
そして、このパワーＩＣ８１は、メインＣＰＵ６１から制御用入力端子ＩＮ２にローレベルの正転信号が入力されると、モータ電源回路ＶＤＤから電力用入力端子ＶＳへの入力電力をモータ用出力端子ＯＵＴ１に出力するとともに、モータ用出力端子ＯＵＴ２をグラウンドラインに接続して、ホッパーモータ５７を正転させる機能を有する。
【００５４】
また、パワーＩＣ８１は、逆転スイッチ４９が押されて制御用入力端子ＩＮ１がローレベルにされると、モータ電源回路ＶＤＤからの入力電力をモータ用出力端子ＯＵＴ２に出力するとともに、モータ用出力端子ＯＵＴ１をグラウンドラインに接続して、ホッパーモータ５７を逆転させる機能を有する。
【００５５】
更に、パワーＩＣ８１は、保護用入力端子ＳＴの入力信号Ｖｓｔがハイレベル（本発明の「許可レベル」に相当）のときはモータ用出力端子ＯＵＴ１，ＯＵＴ２からホッパーモータ５７への電力供給が可能となる一方、保護用入力端子ＳＴの入力信号Ｖｓｔがローレベル（本発明の「禁止レベル」に相当）のときはモータ用出力端子ＯＵＴ１，ＯＵＴ２からホッパーモータ５７への電力供給が不可能となるように構成されている。このように、この実施形態では、モータ電源回路ＶＤＤが本発明の「電源回路」に相当し、モータ用出力端子ＯＵＴ１，ＯＵＴ２が本発明の「パワーＩＣの出力端子」に相当する。
【００５６】
ロック検出回路８３、ロック遅延保護回路８５、短絡検出回路９１、短絡保護回路９３、短絡保護遅延回路９５、ラッチ解除回路９７は、電流検出抵抗Ｒ１に流れる電流に基づき保護用入力端子ＳＴの入力信号Ｖｓｔのレベルを制御することにより、パワーＩＣ８１を保護するものである。例えば、パワーＩＣ８１のモータ用出力端子ＯＵＴ１からホッパーモータ５７に電力を供給しているとき、即ちディスク４５４の正転中に、メダル５１が詰まってディスク４５４が回転できなくなると、ホッパーモータ５７がロックして過電流が流れる。また、ディスク４５４の正転中に、例えば払出口３９から異物を挿入する不正行為が行われて、ホッパーモータ５７の正端子と負端子とが異物により短絡されると、短絡による過電流が流れる。
【００５７】
そこで、この実施形態では、各回路８３，８５，９１，９３，９５，９７により、ロックや短絡による過電流からパワーＩＣ８１を保護している。更に、短絡保護遅延回路９５のダイオード、抵抗、コンデンサにより検波回路を構成し、この検波回路と配線および基板パターンによるアンテナとにより不正電波検出手段を構成し、不正電波検出時にパワーＩＣ８１の動作を停止するようにしている。
【００５８】
まず、図５を参照して各回路ブロックの機能の概要について説明する。ロック検出回路８３はホッパーモータ５７のロックを検出するものである。また、ロック遅延保護回路８５は、ロック検出回路８３がロックを検出すると、所定時間遅延した後にパワーＩＣ８１の保護用入力端子ＳＴの入力信号Ｖｓｔをローレベルに切り換えることにより動作を停止してパワーＩＣ８１を保護するものである。また、短絡検出回路９１はホッパーモータ５７の正端子またはパワーＩＣ８１のモータ用出力端子ＯＵＴ１と、ホッパーモータ５７の負端子、モータ用出力端子ＯＵＴ２またはグラウンドとの間の短絡を検出するものである。また、短絡保護回路９３は、短絡検出回路９１が短絡を検出すると、パワーＩＣ８１の動作を停止してパワーＩＣ８１を保護するものである。短絡保護遅延回路９５は、短絡が続くと所定時間後に短絡保護回路９３による保護をラッチするものである。また、ラッチ解除回路９７は、ラッチされているパワーＩＣ８１の保護を解除するものである。
【００５９】
なお、後述するが、短絡保護遅延回路９５の構成回路素子（ダイオード、抵抗、コンデンサ）により検波回路も構成され、この検波回路と配線および基板パターンによるアンテナとにより不正電波検出手段が構成され、筐体３に電波発生手段を接触させて数十Ｗの不正電波が照射されたときに、この不正電波検出手段により検出し、パワーＩＣ８１を誤動作させて不正にメダル払い出させることを防止するようになっている。
【００６０】
＜具体的回路構成＞
次に、図６Ａ，６Ｂを参照して具体的な回路構成例について説明する。
【００６１】
（ロック検出回路および短絡検出回路）
ロック検出回路８３では、モータ電源回路ＶＤＤの出力電圧Ｖｄｄを抵抗Ｒ２，Ｒ３により分圧してロック検出用基準電圧Ｖａを生成し、コンパレータＩＣ１の非反転入力端子に入力している。
【００６２】
また、短絡検出回路９１では、モータ電源回路ＶＤＤの出力電圧Ｖｄｄを抵抗Ｒ４，Ｒ５により分圧して短絡検出用基準電圧Ｖｂを生成し、コンパレータＩＣ２の非反転入力端子に入力している。モータ電源回路ＶＤＤとパワーＩＣ８１の電力用入力端子ＶＳとの間に接続されている電流検出抵抗Ｒ１は、モータ電源回路ＶＤＤからパワーＩＣ８１に流れる電流を電流検出電圧Ｖｃに変換するための低抵抗である。
【００６３】
即ち、電流検出抵抗Ｒ１に流れる電流が大きくなるにしたがって、電流検出抵抗Ｒ１での電圧降下が大きくなり、これによって電流検出電圧Ｖｃが低下する。そして、ロック検出回路８３では、電流検出電圧Ｖｃを入力電圧Ｖｃ１としてコンパレータＩＣ１の反転入力端子に入力し、短絡検出回路９１では、抵抗Ｒ６を介して電流検出電圧Ｖｃを入力電圧Ｖｃ２としてコンパレータＩＣ２の反転入力端子に入力している。
【００６４】
ロック検出回路８３のコンパレータＩＣ１は、ロック検出用基準電圧Ｖａと入力電圧Ｖｃ１（この回路例ではＶｃ１＝Ｖｃ）とを比較するもので、出力信号Ｖｓ１をＶａ≦Ｖｃ１のときはローレベルとし、Ｖａ＞Ｖｃ１のときはハイレベルとする。また、短絡検出回路９１のコンパレータＩＣ２は、短絡検出用基準電圧Ｖｂと入力電圧Ｖｃ２とを比較するもので、出力信号Ｖｓ２をＶｂ≦Ｖｃ２のときはローレベルとし、Ｖｂ＞Ｖｃ２のときはハイレベルとする。この実施形態では例えば、電流検出抵抗Ｒ１に流れる電流が２．３Ａを超えるとＶａ＞Ｖｃ１になるようにロック検出用基準電圧Ｖａ（抵抗Ｒ２，Ｒ３の抵抗値）が設定され、電流検出抵抗Ｒ１に流れる電流が４Ａを超えるとＶｂ＞Ｖｃ２になるように短絡検出用基準電圧Ｖｂ（抵抗Ｒ４，Ｒ５の抵抗値）が設定されている。
【００６５】
また、パワーＩＣ８１の保護用入力端子ＳＴが抵抗Ｒ１３を介して電源回路ＶＣＣの電圧Ｖｃｃにプルアップされているため、保護用入力端子ＳＴの入力信号Ｖｓｔがハイレベルになっている。そこで、メインＣＰＵ６１からパワーＩＣ８１の制御用入力端子ＩＮ２に正転信号が入力されると、パワーＩＣ８１は、モータ用出力端子ＯＵＴ２をグラウンドに接続するとともにモータ用出力端子ＯＵＴ１からホッパーモータ５７への電力供給を開始し、これによってホッパーモータ５７が正転を開始する。
【００６６】
（ロック遅延保護回路）
そして、電流検出抵抗Ｒ１に定常電流が流れている正常状態、即ちＶａ≦Ｖｃ１のときは、コンパレータＩＣ１の出力信号Ｖｓ１がローレベルになっている。したがって、ロック遅延保護回路８５のサイリスタＱ１のゲート電流が流れなくて、サイリスタＱ１はオフになっている。これによって電界効果トランジスタ（以下、単に「トランジスタ」という）Ｑ２がオフで、トランジスタＱ３がオフになっている。同様に、コンパレータＩＣ２の出力信号Ｖｓ２がローレベルになっている。
【００６７】
（短絡保護回路）
コンパレータＩＣ２の出力信号Ｖｓ２のローレベルにより、短絡保護回路９３のトランジスタＱ７は、そのゲート電圧がローレベルであるためオフになっている。このように、トランジスタＱ３，Ｑ７がいずれもオフになっているため、抵抗Ｒ１３を介して電源回路ＶＣＣの電圧ＶｃｃにプルアップされているパワーＩＣ８１の保護用入力端子ＳＴの入力信号Ｖｓｔはハイレベルに保持され、これによって、パワーＩＣ８１は継続して動作可能状態になっている。このように、この実施形態では、モータ電源回路ＶＤＤおよび抵抗Ｒ４，Ｒ５が本発明の「基準電圧生成回路」を構成する。また、コンパレータＩＣ２が本発明の「比較回路」に相当する。
【００６８】
（短絡保護遅延回路）
このとき、コンパレータＩＣ２の出力信号Ｖｓ２は、短絡保護遅延回路９５のダイオードＤ１を介して抵抗Ｒ１５およびコンデンサＣ２による積分回路に入力されるようになっており、コンデンサＣ２の一端側であるトランジスタＱ６のゲート電圧ＶｆがコンデンサＣ２の充電に伴い上昇してトランジスタＱ６がターンオンするスレショルド電圧Ｖｔｈを超えると、トランジスタＱ６がオンして抵抗Ｒ１４を介してコンパレータＩＣ２の反転入力端子をグラウンドにプルダウンし、コンパレータＩＣ２の両入力端子の電圧をＶｂ＞Ｖｃ２にラッチ（保持）する構成となっている。
【００６９】
（不正電波検出手段）
更に、短絡保護遅延回路９５において、コンデンサＣ２および抵抗Ｒ１５の積分回路、並びにダイオードＤ１により検波回路９９が構成されるとともに、検波回路９９と配線および基板パターンによるアンテナとにより不正電波検出手段が構成されている。そのため、外部から不正電波が照射されると、検波回路９９により検波され、ダイオードＤ１により半波整流された直流成分のハイレベルの検出信号がコンデンサＣ２に流れてコンデンサＣ２が充電され、コンデンサＣ２の充電に伴ってトランジスタＱ６のゲート電圧Ｖｆが上昇し、トランジスタＱ６がターンオンするスレショルド電圧Ｖｔｈを超えると、トランジスタＱ６がオンしてコンパレータＩＣ２の両入力端子の電圧をＶｂ＞Ｖｃ２にラッチ（保持）される。このように、不正電波検出手段により不正電波が検出されるときにも、トランジスタＱ６がオンしてコンパレータＩＣ２の両入力端子の電圧がＶｂ＞Ｖｃ２にラッチ（保持）される。
【００７０】
＜動作＞
（ロック時の動作）
次に、図６Ａ、図６Ｂ、図７、図８を参照して、ホッパーモータ５７が動作中にロックしたときの各回路の動きについて説明する。図７はホッパーモータ５７がロックしたときの各部の電圧信号レベルの推移を示すタイミングチャート、図８はロック保護を解除するときの各部の電圧信号レベルの推移を示すタイミングチャートである。
【００７１】
まず、正常状態のときは、上述したように、ロック検出用基準電圧Ｖａと入力電圧Ｖｃ１とはＶａ≦Ｖｃ１であるため、コンパレータＩＣ１の出力信号Ｖｓ１はローレベルになっている。また、サイリスタＱ１のゲート電圧Ｖｄと、サイリスタＱ１がオンするためのゲート電圧Ｖｅとは、Ｖｄ＜Ｖｅになっている。また、パワーＩＣ８１の保護用入力端子ＳＴの入力信号Ｖｓｔはハイレベルになっている。また、このとき、トランジスタＱ８のゲートが抵抗Ｒ２３を介して低圧電源回路ＶＣＣの電圧Ｖｃｃにプルアップされているため、トランジスタＱ８はオンになっている。したがって、トランジスタＱ４のゲートがローレベルのため、トランジスタＱ４はオフになっている。
【００７２】
そして、例えばディスク４５４でメダル５１が詰まり、時刻ｔ１（図７）にホッパーモータ５７がロックして、電流検出抵抗Ｒ１に２．３Ａを超える過電流が流れると、Ｖａ＞Ｖｃ１になり、コンパレータＩＣ１の出力信号Ｖｓ１がローレベルからハイレベルに切り換わる。これによって、コンデンサＣ１が充電されてサイリスタＱ１のゲート電圧Ｖｄが徐々に上昇する。そして、時刻ｔ２にＶｄ＞Ｖｅになると、サイリスタＱ１がターンオンする。これによって、トランジスタＱ２がオンになり、トランジスタＱ３がオンになる。このトランジスタＱ３のオンにより、保護用入力端子ＳＴの入力信号Ｖｓｔがローレベルに切り換わり、パワーＩＣ８１が動作を停止する。
【００７３】
パワーＩＣ８１の動作停止により、電流検出抵抗Ｒ１に電流が流れなくなるため、Ｖａ≦Ｖｃ１に戻り、これによって、コンパレータＩＣ１の出力信号Ｖｓ１がローレベルに復帰する。そして、サイリスタＱ１はターンオフされないため、保護用入力端子ＳＴの入力信号Ｖｓｔがローレベルにラッチ（保持）され、パワーＩＣ８１の動作停止状態が継続する。また、保護用入力端子ＳＴの入力信号Ｖｓｔがローレベルにラッチ（保持）されることによって逆転ＬＥＤ５０が点灯する。
【００７４】
（ロック解除時の動作）
そして、ホッパーモータ５７が途中で停止したことにより異常が検出され、筐体３の前面パネル５が開かれると、逆転ＬＥＤ５０の点灯により、パワーＩＣ８１が動作停止状態である旨が報知される。そして、図８の時刻ｔ３に電源ボックス４８の逆転スイッチ４９が押されて制御用入力端子ＩＮ１がローレベルにされると、トランジスタＱ８のゲート電圧がローレベルになり、トランジスタＱ８がオフになる。これによって、トランジスタＱ４のゲートが抵抗Ｒ２０を介して低圧電源回路ＶＣＣの電圧Ｖｃｃにプルアップされるため、トランジスタＱ４がオンになり、サイリスタＱ１のゲート電圧Ｖｄがグラウンドレベルに低下する。
【００７５】
その結果、サイリスタＱ１がターンオフされ、トランジスタＱ２がオフになり、トランジスタＱ３がオフになって、保護用入力端子ＳＴの入力信号Ｖｓｔがハイレベルに復帰する。これによって、パワーＩＣ８１が動作可能状態に復帰し、制御用入力端子ＩＮ１が逆転スイッチ４９のオンによってローレベルにされているため、パワーＩＣ８１は、モータ用出力端子ＯＵＴ１をグラウンドに接続するとともにモータ用出力端子ＯＵＴ２からホッパーモータ５７の負端子に電力を供給し、ホッパーモータ５７（ディスク４５４）を逆転させる。これによって、ディスク４５４に詰まっていたメダル５１の除去が可能になる。
【００７６】
図７において、ホッパーモータ５７がロックしてＶａ＞Ｖｃ１になった時刻ｔ１からサイリスタＱ１がターンオンする時刻ｔ２までの遅延時間Ｔ１は、ロックによる過電流が継続して流れてもホッパーモータ５７およびパワーＩＣ８１に劣化が生じない程度の値に設定している。この遅延時間Ｔ１は、抵抗Ｒ８，Ｒ９，Ｒ１０およびコンデンサＣ１で構成される積分回路の時定数によって決まる。ただし、ホッパーモータ５７は、起動時に突入電流が一時的に２．３Ａを超えることが生じ得る。そこで、遅延時間Ｔ１は、突入電流の継続時間より長い値で、かつ可能な限り短い値に設定されており、この実施形態では例えばＴ１≒１００ｍｓｅｃ程度になるように設定されている。なお、図７では、説明の便宜上、ロック時にコンパレータＩＣ１の入力電圧Ｖｃ１が垂直に降下するように記載している。
【００７７】
（短絡時の動作）
次に、図６Ａ、図６Ｂ、図９を参照して、ホッパーモータ５７の動作中に、ホッパーモータ５７の正端子またはパワーＩＣ８１のモータ用出力端子ＯＵＴ１と、ホッパーモータ５７の負端子、モータ用出力端子ＯＵＴ２またはグラウンドとの間に短絡が生じたときの各回路の動きについて説明する。図９は上記短絡が生じたときの各部の電圧信号レベルの推移を示すタイミングチャートである。
【００７８】
まず、正常状態のときは、上述したように、短絡検出用基準電圧Ｖｂと入力電圧Ｖｃ２とを比較するとＶｂ≦Ｖｃ２であるため、コンパレータＩＣ２の出力信号Ｖｓ２はローレベル（本発明の「正常レベル」に相当）になっている。また、短絡保護遅延回路９５のトランジスタＱ６のゲートは、このコンパレータＩＣ２の出力端子とダイオードＤ１および抵抗Ｒ１５を介して接続されているため、トランジスタＱ６のスレショルド電圧ＶｔｈとトランジスタＱ６のゲート電圧Ｖｆとを比較すると、Ｖｆ＜Ｖｔｈであり、トランジスタＱ６はオフになっている。また、このとき、トランジスタＱ８のゲートが抵抗Ｒ２３を介して低圧電源回路ＶＣＣの電圧Ｖｃｃにプルアップされているため、トランジスタＱ８はオンになっている。したがって、トランジスタＱ５のゲートがローレベルのため、トランジスタＱ５はオフになっている。
【００７９】
そして、時刻ｔ５（図９）に例えばホッパーモータ５７の正端子（モータ用出力端子ＯＵＴ１）と負端子（モータ用出力端子ＯＵＴ２）とが短絡すると、電流検出抵抗Ｒ１に流れる電流が増大してコンパレータＩＣ２の入力電圧Ｖｃ２が低下し、電流検出抵抗Ｒ１に流れる電流が４Ａを超えてＶｂ＞Ｖｃ２になると、コンパレータＩＣ２の出力信号Ｖｓ２がローレベルからハイレベル（本発明の「短絡レベル」に相当）に切り換わる。その結果、トランジスタＱ７のゲート電圧がローレベルからハイレベルに切り換わってトランジスタＱ７がオンになり、これによってパワーＩＣ８１の保護用入力端子ＳＴの入力信号Ｖｓｔがローレベルに切り換わり、パワーＩＣ８１が動作を停止する。
【００８０】
パワーＩＣ８１の動作停止によりホッパーモータ５７への電力供給が停止すると、電流検出抵抗Ｒ１に電流が流れなくなるためコンパレータＩＣ２の入力電圧Ｖｃ２が上昇し、Ｖｂ≦Ｖｃ２になるとコンパレータＩＣ２の出力信号Ｖｓ２はローレベルに戻る。すると、トランジスタＱ７がオフに戻り、パワーＩＣ８１の保護用入力端子ＳＴの入力信号Ｖｓｔがハイレベルに戻って、パワーＩＣ８１が動作可能状態に復帰する。ここで、制御用入力端子ＩＮ２は、メインＣＰＵ６１からの正転信号によりローレベルにされているため、パワーＩＣ８１は、ホッパーモータ５７への電力供給を再開する。しかし、ホッパーモータ５７の正端子と負端子との短絡状態が続いているため、電流検出抵抗Ｒ１に４Ａを超える過電流が流れることになり、再びパワーＩＣ８１が動作を停止する。
【００８１】
このように、パワーＩＣ８１が動作停止および動作再開を繰り返すと、コンパレータＩＣ２の出力信号Ｖｓ２がハイレベルの期間にコンデンサＣ２が充電されて、トランジスタＱ６のゲート電圧Ｖｆが徐々に上昇する。そして、時刻ｔ６にＶｆ＞Ｖｔｈになると、トランジスタＱ６がオンになる。これによって、コンパレータＩＣ２の反転入力端子が抵抗Ｒ１４を介してグラウンドにプルダウンされるため、Ｖｂ＞Ｖｃ２にラッチ（保持）され、コンパレータＩＣ２の出力信号Ｖｓ２がハイレベルにラッチ（保持）される。
【００８２】
その結果、トランジスタＱ７がオンにラッチされるとともに、コンデンサＣ２の充電が続くためトランジスタＱ６がオンにラッチされる。トランジスタＱ７がオンにラッチされることより、保護用入力端子ＳＴの入力信号Ｖｓｔがローレベルにラッチ（保持）されて、パワーＩＣ８１が動作停止状態にラッチされる。また、逆転ＬＥＤ５０は、パワーＩＣ８１が動作停止および動作再開を繰り返している間は点滅を繰り返し、パワーＩＣ８１が動作停止状態にラッチされると点灯したままになる。
【００８３】
図９において、ホッパーモータ５７の正端子と負端子とが短絡した時刻ｔ５から保護用入力端子ＳＴの入力信号ＶｓｔがローレベルになってパワーＩＣ８１が最初に動作停止する時点までの時間Ｔ２は、この実施形態では例えば１．５μｓｅｃ程度の非常に短い値に設定されている。これは、コンパレータＩＣ２として、集積回路に形成された高速応答性能を有するコンパレータを用いることにより実現している。
【００８４】
また、短絡した時刻ｔ５からパワーＩＣ８１が動作停止状態にラッチされる時刻ｔ６までの遅延時間Ｔ３は、短絡による過電流が断続的に流れてもパワーＩＣ８１に劣化が生じない程度の値に設定している。この遅延時間Ｔ３は、抵抗Ｒ１５およびコンデンサＣ２で構成される積分回路の時定数によって決まる。そこで、この実施形態では例えば、短絡によるホッパーモータ５７のオンオフが３０回程度繰り返されてＴ３≒１００μｓｅｃ程度になるように設定されている。なお、電流検出抵抗Ｒ１に流れる電流が４Ａを超えるとロック検出回路８３およびロック遅延保護回路８５も図７を参照して説明したように動作する。しかしながら、Ｔ１（≒１００ｍｓｅｃ）≫Ｔ３（≒１００μｓｅｃ）であるため、短絡保護回路９３および短絡保護遅延回路９５の方が先に動作することとなる。
【００８５】
このように、この実施形態では、コンデンサＣ２および抵抗Ｒ１５からなる積分回路が本発明の「積分回路」に相当し、トランジスタＱ６が本発明の「ラッチ回路」に相当する。また、短絡保護回路９３および短絡保護遅延回路９５が本発明の「保護回路」を構成している。
【００８６】
（短絡解除時の動作）
次に、図６Ａ、図６Ｂ、図１０、図１１を参照して、短絡保護を解除するときの各回路の動きについて説明する。図１０は短絡保護の解除時に短絡が解消されている場合の各部の電圧信号レベルの推移を示すタイミングチャート、図１１は短絡保護の解除時に短絡が続いている場合の各部の電圧信号レベルの推移を示すタイミングチャートである。
【００８７】
ホッパーモータ５７が途中で停止したことにより異常が検出され、筐体３の前面パネル５が開かれると、逆転ＬＥＤ５０の点灯により、パワーＩＣ８１が動作停止状態である旨が報知される。なお、この段階では、異常が短絡によるものか否かは不明になっている。
【００８８】
そして、例えば時刻ｔ７（図１０）に電源ボックス４８の逆転スイッチ４９が押されて制御用入力端子ＩＮ１がローレベルにされると、トランジスタＱ８のゲートがローレベルになり、トランジスタＱ８がオフになる。これによって、トランジスタＱ５のゲートが抵抗Ｒ２０を介して低圧電源回路ＶＣＣの出力電圧Ｖｃｃにプルアップされるため、トランジスタＱ５がオンになる。その結果、コンデンサＣ２の充電電荷が抵抗Ｒ１７およびコンデンサＣ３の並列回路を介して放電され、トランジスタＱ６のゲート電圧Ｖｆが低下し、Ｖｆ＜ＶｔｈになるとトランジスタＱ６がオフになる。
【００８９】
したがって、コンパレータＩＣ２の反転入力端子のラッチが解除され、Ｖｂ≦Ｖｃ２に戻り、コンパレータＩＣ２の出力信号Ｖｓ２がローレベルに戻り、これによってパワーＩＣ８１の保護用入力端子ＳＴの入力信号Ｖｓｔがハイレベルに切り換わり、パワーＩＣ８１が動作可能状態に復帰する。また、点灯している逆転ＬＥＤ５０が消灯する。そして、パワーＩＣ８１は、モータ用出力端子ＯＵＴ１をグラウンドに接続するとともにモータ用出力端子ＯＵＴ２から電力をホッパーモータ５７の負端子に供給してホッパーモータ５７を逆転させようとする。
【００９０】
ここで、逆転スイッチ４９のオン時に短絡が解消されている場合には、図１０に示すように、Ｖｂ≦Ｖｃ２が維持されるため、コンパレータＩＣ２の出力信号Ｖｓ２がローレベルに保持され、トランジスタＱ６がオフのままになるため、パワーＩＣ８１の動作可能状態が維持される。そして、逆転スイッチ４９がオフにされるまで、ホッパーモータ５７の逆転が続く。
【００９１】
一方、逆転スイッチ４９のオン時に短絡が続いている場合には、パワーＩＣ８１が動作可能状態に復帰してホッパーモータ５７を逆転させるための電力供給を開始すると、電流検出抵抗Ｒ１に再び４Ａを超える過電流が流れる。その結果、図１１に示すように、図９の場合と同様にパワーＩＣ８１が動作停止および動作再開を繰り返し、まずコンデンサＣ３が充電されて引き続きコンデンサＣ２が充電され、トランジスタＱ６のゲート電圧Ｖｆが徐々に上昇する。そして、Ｖｆ＞ＶｔｈになるとトランジスタＱ６がオンになって、Ｖｂ＞Ｖｃ２が保持されることになり、これによって、再びパワーＩＣ８１が動作停止状態にラッチされることとなる。
【００９２】
図９で説明した回路定数の設定（即ち短絡によるホッパーモータ５７のオンオフが３０回程度繰り返されてＴ３≒１００μｓｅｃ）によれば、図１１におけるパワーＩＣ８１の動作停止および動作再開は、１２０回程度繰り返されることとなり、逆転スイッチ４９のオン時刻ｔ８からパワーＩＣ８１が動作停止状態にラッチされる時刻ｔ９までの遅延時間Ｔ４はＴ４≒４００μｓｅｃ程度になる。このように、この実施形態では、逆転スイッチ４９のオン操作が本発明の「復帰指令信号の生成」に相当している。
【００９３】
（不正電波検出時の動作）
次に、図６Ａ、図６Ｂ、図１２を参照して、例えばホッパーモータ５７の停止中に、不正電波検出手段により不正電波が検出されたときの各回路の動きについて説明する。図１２は不正電波が検出されたときのトランジスタＱ６のゲート電圧の推移を示すタイミングチャートである。
【００９４】
いま、検波回路９９およびアンテナからなる不正電波検出手段により、図１２に示すように時刻ｔ１０に不正電波が検出されると、不正電波が検波回路９９により検波され、ダイオードＤ１により半波整流された直流成分のハイレベルの検出信号がコンデンサＣ２に流れてコンデンサＣ２が充電され、コンデンサＣ２の充電に伴ってトランジスタＱ６のゲート電圧Ｖｆが徐々に上昇する。
【００９５】
そして、トランジスタＱ６のゲート電圧Ｖｆが上昇し、不正電波の強度にもよるが、時刻ｔ１０から遅延時間Ｔ５経過後の時刻ｔ１１にトランジスタＱ６がターンオンするスレショルド電圧Ｖｔｈを超えると、トランジスタＱ６がオンしてコンパレータＩＣ２の両入力端子の電圧がＶｂ＞Ｖｃ２にラッチ（保持）される。なお、この場合における電圧Ｖｂは短絡検出用基準電圧と同等の基準電圧である。このように、Ｖｂ＞Ｖｃ２になると、コンパレータＩＣ２の出力信号Ｖｓ２がローレベルからハイレベル（短絡レベル）に切り換わる。その結果、トランジスタＱ７のゲート電圧がローレベルからハイレベルに切り換わってトランジスタＱ７がオンになり、これによってパワーＩＣ８１の保護用入力端子ＳＴの入力信号Ｖｓｔがローレベルに切り換わり、パワーＩＣ８１が動作を停止してホッパーモータ５７への電力供給が停止され、ホッパーモータ５７が駆動することはない。
【００９６】
こうして、コンパレータＩＣ２の両入力端子の電圧がＶｂ＞Ｖｃ２にラッチ（保持）され、コンパレータＩＣ２の出力信号Ｖｓ２がハイレベルにラッチ（保持）されると、トランジスタＱ７がオンにラッチされ、これによって保護用入力端子ＳＴの入力信号Ｖｓｔがローレベルにラッチ（保持）されて、パワーＩＣ８１が動作停止状態にラッチされ、パワーＩＣ８１が動作停止状態にラッチされると逆転ＬＥＤ５０は点灯したままになる。
【００９７】
（不正電波検出後におけるパワーＩＣの停止解除時の動作）
次に、図６Ａ、図６Ｂ、図１３、図１４を参照して、不正電波検出によるパワーＩＣ８１の停止を解除するときの各回路の動きについて説明する。図１３は不正電波検出によるパワーＩＣ８１の停止解除時に不正電波の照射が解消されている場合の各部の電圧信号レベルの推移を示すタイミングチャート、図１４は不正電波検出によるパワーＩＣ８１の停止解除時に不正電波の照射が続いている場合の各部の電圧信号レベルの推移を示すタイミングチャートである。
【００９８】
不正電波が検出されてパワーＩＣ８１の動作停止によりホッパーモータ５７が停止状態に保持され、そのときに筐体３の前面パネル５が開かれると、逆転ＬＥＤ５０の点灯により、パワーＩＣ８１が動作停止状態である旨が報知される。なお、この段階では、異常がロックによるものか短絡によるものか不正電波の検出によるものかは不明になっている。
【００９９】
そして、例えば時刻ｔ１２（図１３）に電源ボックス４８の逆転スイッチ４９が押されて制御用入力端子ＩＮ１がローレベルにされると、トランジスタＱ８のゲートがローレベルになり、トランジスタＱ８がオフになる。これによって、トランジスタＱ５のゲートが抵抗Ｒ２０を介して低圧電源回路ＶＣＣの出力電圧Ｖｃｃにプルアップされるため、トランジスタＱ５がオンになる。その結果、コンデンサＣ２の充電電荷が抵抗Ｒ１７およびコンデンサＣ３の並列回路を介して放電され、トランジスタＱ６のゲート電圧Ｖｆが低下し、Ｖｆ＜ＶｔｈになってトランジスタＱ６がオフになる。
【０１００】
したがって、コンパレータＩＣ２の反転入力端子のラッチが解除され、Ｖｂ≦Ｖｃ２に戻り、コンパレータＩＣ２の出力信号Ｖｓ２がローレベル（正常レベル）に戻り、これによってパワーＩＣ８１の保護用入力端子ＳＴの入力信号Ｖｓｔがハイレベルに切り換わり、パワーＩＣ８１が動作可能状態に復帰する。また、点灯している逆転ＬＥＤ５０が消灯する。そして、パワーＩＣ８１は、モータ用出力端子ＯＵＴ１をグラウンドに接続するとともにモータ用出力端子ＯＵＴ２から電力をホッパーモータ５７の負端子に供給してホッパーモータ５７を逆転させる。
【０１０１】
ここで、逆転スイッチ４９のオン時に不正電波の照射が解消されている場合には、図１３に示すように、Ｖｂ≦Ｖｃ２が維持されるため、コンパレータＩＣ２の出力信号Ｖｓ２がローレベルに保持され、トランジスタＱ６がオフのままになるため、パワーＩＣ８１の動作可能状態が維持される。そして、逆転スイッチ４９がオフにされるまで、ホッパーモータ５７の逆転が続く。
【０１０２】
一方、図１４に示すように、時刻ｔ１３に逆転スイッチ４９がオンされ、この逆転スイッチ４９のオン時に不正電波の照射が続いている場合には、パワーＩＣ８１が動作可能状態に一旦復帰してホッパーモータ５７への電力供給が再開され、ホッパーモータ５７が逆転を開始するが、不正電波の照射が続いているため、トランジスタＱ５のオンにより放電されたコンデンサＣ２が、ハイレベルの検出信号によりコンデンサＣ３，Ｃ２が再び充電され、トランジスタＱ６のゲート電圧Ｖｆが徐々に上昇し、Ｖｆ＞Ｖｔｈになると、トランジスタＱ６がオンになり、パワーＩＣ８１が動作停止する。
【０１０３】
こうして、不正電波のハイレベルの検出信号によりコンデンサＣ２が充電されて、トランジスタＱ６のゲート電圧Ｖｆが徐々に上昇し、図１４に示すように、不正電波の強度にもよるが時刻ｔ１３から遅延時間Ｔ６経過後の時刻ｔ１４にＶｆ＞ＶｔｈになるとトランジスタＱ６がオンになって、Ｖｂ＞Ｖｃ２が保持されることになり、これによって、パワーＩＣ８１が動作停止状態にラッチされることとなる。また、逆転スイッチ４９のオン後はパワーＩＣ８１は暫く正常に動作し、コンデンサＣ２が充電されるとパワーＩＣ８１が動作停止して逆転ＬＥＤ５０が点灯する。
【０１０４】
このとき、パチンコホールの店員などが逆転スイッチ４９をオンするときには店員が前面パネル３を開けるため、店員の面前で不正電波の照射が継続されることは通常考えられず、逆転スイッチ４９がオンされれば必然的にパワーＩＣ８１は正常動作を行う。これに対し、上記したように短絡の継続の場合には、逆転スイッチ４９がオン時に短絡が依然として続いていればホッパーモータ５７の動作が停止することから、逆転ＬＥＤ５０の点灯により異常が報知され、店員により逆転スイッチ４９がオンされたときに、ホッパーモータ５７の動作が停止するか否かでその異常報知が短絡発生によるものか否か認識することが可能になる。
【０１０５】
以上説明したように、この実施形態によれば、ダイオードＤ１、コンデンサＣ２、抵抗Ｒ１５からなる検波回路９９と、配線および基板パターンによるアンテナとにより構成される不正電波検出手段により、筐体３を通じて不正電波が検出されると、異常発生時における保護装置によるパワーＩＣ８１の停止と同様、パワーＩＣ８１の動作が停止されてホッパーモータ５７への電力供給が停止されるため、不正電波の照射によりパワーＩＣ８１およびホッパーモータ５７が誤動作することにより、不正にメダルが払い出されることを未然に防止することができる。
【０１０６】
このとき、異常発生時にパワーＩＣ８１の動作を停止させる保護装置に含まれる検波回路９９と、配線および基板パターンのアンテナとにより不正電波検出手段を構成しているため、従来のように電波検出手段を別途設ける必要もなく、簡単かつ安価な構成により不正電波による不正なメダル払い出しを防止することができる。
【０１０７】
また、この実施形態によれば、パワーＩＣ８１によるホッパーモータ５７の駆動中にホッパーモータ５７の正端子（パワーＩＣ８１のモータ用出力端子ＯＵＴ１）と負端子（パワーＩＣ８１のモータ用出力端子ＯＵＴ２即ちグラウンド）との短絡が検出されると、遅延時間Ｔ３だけ待機し、遅延時間Ｔ３の間、短絡が継続していれば、パワーＩＣ８１の保護用入力端子ＳＴの入力信号をローレベルにラッチ（保持）している。これによって、モータ用出力端子ＯＵＴ１からホッパーモータ５７への電力供給が不可能になり、短絡による過電流が流れなくなるため、パワーＩＣ８１を保護することができる。
【０１０８】
また、この実施形態によれば、モータ電源回路ＶＤＤとパワーＩＣ８１の電力用入力端子ＶＳとの間に接続される電流検出抵抗Ｒ１に流れる電流に基づき短絡か否かを検出しているため、短絡による過電流を確実に検出することができる。即ち、例えばパワーＩＣ８１のグラウンド端子ＧＮＤとグラウンドとの間に電流検出抵抗を接続した構成では、モータ用出力端子ＯＵＴ１とグラウンドとが例えば金属製の異物により直接短絡された場合には、短絡による過電流は、電流検出抵抗をバイパスしてモータ用出力端子ＯＵＴ１からグラウンドに直接流れてしまうこととなる。したがって、この場合にはグラウンド端子ＧＮＤとグラウンドとの間に接続された電流検出抵抗に流れる電流を監視していても、短絡を検出することができない。これに対して、この実施形態では、ホッパーモータ５７への電力供給は、モータ電源回路ＶＤＤから電流検出抵抗Ｒ１を介してパワーＩＣ８１の電力用入力端子ＶＳに入力される電力をモータ用出力端子ＯＵＴ１からホッパーモータ５７に供給することによって行われる。したがって、モータ用出力端子ＯＵＴ１とグラウンドとが例えば異物などにより直接短絡された場合でも、短絡による過電流は常に電流検出抵抗Ｒ１に流れることになるため、短絡を確実に検出することができる。
【０１０９】
また、この実施形態によれば、高速応答性能を有するコンパレータＩＣ２を用いて、電流検出抵抗Ｒ１に流れる過電流が４Ａを超えてＶｂ＞Ｖｃ２になると、極めて短時間Ｔ２で保護用入力端子ＳＴの入力信号ＶｓｔをローレベルにしてパワーＩＣ８１を動作不可能な状態にしている。そして、ホッパーモータ５７への電力供給の停止および再開を繰り返し、トランジスタＱ６のゲート電圧ＶｆがＶｆ＞Ｖｔｈになるまでの遅延時間Ｔ３が経過した後に、パワーＩＣ８１を動作不可能な状態にラッチしている。即ち、短絡電流が断続的に流れるようにしている。したがって、過電流の平均値が低下することから、短絡電流が連続的に流れる場合に比べて遅延時間Ｔ３を大きい値に設定することができる。これによって、抵抗Ｒ１５およびコンデンサＣ２からなる積分回路の時定数を、余裕を持って設定することができる。
【０１１０】
また、この実施形態によれば、ホッパーモータ５７が停止した後に、逆転スイッチ４９をオンにすると、ラッチ解除回路９７のトランジスタＱ５がオンになって、コンデンサＣ２の充電電圧がコンデンサＣ３および抵抗Ｒ１７からなる並列回路を介して放電されることから、充電電圧ＶｆがＶｆ＜Ｖｔｈになり、トランジスタＱ６がオフになって、コンパレータＩＣ２からの出力信号Ｖｓ２のハイレベルへのラッチ（保持）が解除される。このため、電流検出抵抗Ｒ１に電流が流れていないことと相俟って、コンパレータＩＣ２の出力信号Ｖｓ２がローレベルになり、パワーＩＣ８１の保護用入力端子ＳＴの入力信号Ｖｓｔがハイレベルになる。一方、逆転スイッチ４９がオンにされて、制御用入力端子ＩＮ１がローレベルにされると、パワーＩＣ８１のモータ用出力端子ＯＵＴ２からホッパーモータ５７の負端子に電力を供給してホッパーモータ５７を逆転させようとする。このとき、短絡が依然として続いていれば、パワーＩＣ８１の保護用入力端子ＳＴの入力信号Ｖｓｔがローレベルに戻され、ホッパーモータ５７の逆転動作が停止する。このように、この実施形態によれば、操作者が逆転スイッチ４９をオンにする操作を行うだけで、ホッパーモータ５７の正端子と負端子との短絡が依然として続いているか否かを容易に判別することができる。
【０１１１】
更に、パチンコホールの店員などが逆転スイッチ４９をオンするときには店員が前面パネル３を開けるため、店員の面前で不正電波の照射が継続されることは通常考えられず、逆転スイッチ４９がオンされれば必然的にパワーＩＣ８１は正常動作を行うのに対し、逆転スイッチ４９がオン時に短絡継続している場合には、ホッパーモータ５７の動作が停止することから、逆転スイッチ４９がオンしたときにホッパーモータ５７の動作が停止するか否かで、異常を報知する逆転ＬＥＤ５０の点灯が、短絡発生によるものか否か認識することができる。
【０１１２】
また、この実施形態によれば、ホッパーモータ５７の駆動中にロック検出回路８３によりロックしたか否かを検出し、ロックが所定時間継続すると、サイリスタＱ１をオンにしてパワーＩＣ８１の保護用入力端子ＳＴの入力信号Ｖｓｔをローレベルにラッチ（保持）しているため、メダル５１がディスク４５４に詰まることなどによって生じるホッパーモータ５７のロックによる過電流に対してパワーＩＣ８１を保護することができる。
【０１１３】
＜変形形態＞
なお、本発明は上記実施形態に限定されるものではなく、その趣旨を逸脱しない限りにおいて上述したもの以外に種々の変更を行うことが可能である。例えば、具体的な回路構成については、図６Ａ，６Ｂに示したものに限られない。以下、回路構成の変形形態について説明する。
【０１１４】
図１５Ａ，１５Ｂは、第１変形形態の回路構成を示す回路図である。なお、上記実施形態（図６Ａ，６Ｂ）と同一機能を果たすものには同一符号を付し、相違点を中心に説明する。この第１変形形態では、ロック検出回路８３およびラッチ解除回路９７は、上記実施形態と同一構成になっている。また、ロック遅延保護回路８５は、抵抗Ｒ１３およびトランジスタＱ３が除かれている点以外は上記実施形態と同一構成であり、パワーＩＣ８１の保護用入力端子ＳＴは、トランジスタＱ２と抵抗Ｒ１２との接続点に接続されている。また、短絡検出回路９１では、コンパレータＩＣ２の入力信号が上記実施形態と逆になっており、短絡検出用基準電圧ＶｂがコンパレータＩＣ２の反転入力端子に入力され、入力電圧Ｖｃ２がコンパレータＩＣ２の非反転入力端子に入力されている。また、短絡保護遅延回路９５は、ダイオードＤ１のアノードが、抵抗Ｒ３３を介してパワーＩＣ８１の保護用入力端子ＳＴに接続されている点を除いて、上記実施形態と同一構成になっている。
【０１１５】
また、第１変形形態のパワーＩＣ８１は、保護用入力端子ＳＴの入力信号Ｖｓｔのレベルの高低と動作可能状態との関係が上記実施形態と逆になっている。即ち、パワーＩＣ８１は、保護用入力端子ＳＴの入力信号Ｖｓｔがローレベル（許可レベル）のときはモータ用出力端子ＯＵＴ１，ＯＵＴ２からホッパーモータ５７への電力供給が可能となる一方、保護用入力端子ＳＴの入力信号Ｖｓｔがハイレベル（禁止レベル）のときはモータ用出力端子ＯＵＴ１，ＯＵＴ２からホッパーモータ５７への電力供給が不可能となるように構成されている点のみ、上記実施形態と相違している。
【０１１６】
この第１変形形態の短絡検出回路９１では、コンパレータＩＣ２は短絡検出用基準電圧Ｖｂと入力電圧Ｖｃ２とを比較し、出力信号Ｖｓ２をＶｃ２≦Ｖｂのときはローレベルとし、Ｖｃ２＞Ｖｂのときはハイレベルとする。この第１変形形態では例えば、電流検出抵抗Ｒ１に流れる電流が４Ａ以上になるとＶｃ２≦Ｖｂになるように短絡検出用基準電圧Ｖｂ（抵抗Ｒ４，Ｒ５の抵抗値）が設定されている。
【０１１７】
また、パワーＩＣ８１の保護用入力端子ＳＴは、抵抗Ｒ１２を介してグラウンドにプルダウンされているため、保護用入力端子ＳＴの入力信号Ｖｓｔは、ローレベルになっており、パワーＩＣ８１は動作可能状態になっている。そこで、メインＣＰＵ６１からパワーＩＣ８１の制御用入力端子ＩＮ２に正転信号が入力されると、パワーＩＣ８１は、モータ用出力端子ＯＵＴ２をグラウンドに接続するとともにモータ用出力端子ＯＵＴ１からホッパーモータ５７への電力供給を開始し、これによってホッパーモータ５７が正転を開始する。
【０１１８】
そして、電流検出抵抗Ｒ１に定常電流が流れている正常状態、即ちＶｃ２＞Ｖｂのときは、コンパレータＩＣ２の出力信号Ｖｓ２がハイレベル（正常レベル）になっている。したがって、短絡保護回路９３のトランジスタＱ１３がオフになっているため、抵抗Ｒ１２を介してグラウンドにプルダウンされているパワーＩＣ８１の保護用入力端子ＳＴの入力信号Ｖｓｔはローレベルに保持され、これによってパワーＩＣ８１は継続して動作可能状態になっている。一方、短絡保護遅延回路９５では、ダイオードＤ１のアノードが抵抗Ｒ３３を介して保護用入力端子ＳＴに接続されているため、正常状態では、コンデンサＣ２の充電電圧（トランジスタＱ６のゲート電圧）Ｖｆがローレベルのままとなる。
【０１１９】
更に、ホッパーモータ５７がロックして、サイリスタＱ１がオンになり、トランジスタＱ２がオンになると、パワーＩＣ８１の保護用入力端子ＳＴの入力信号Ｖｓｔのレベルが電源回路ＶＣＣの電圧Ｖｃｃに上昇して、パワーＩＣ８１が動作を停止する。
【０１２０】
次に、図１５Ａ、図１５Ｂにおいて、ホッパーモータ５７の動作中に、ホッパーモータ５７の正端子またはパワーＩＣ８１のモータ用出力端子ＯＵＴ１と、ホッパーモータ５７の負端子、モータ用出力端子ＯＵＴ２またはグラウンドとの間に短絡が生じたときの各回路の動きについて説明する。
【０１２１】
上記短絡が生じると、電流検出抵抗Ｒ１に流れる電流が増大してコンパレータＩＣ２の入力電圧Ｖｃ２が低下し、電流検出抵抗Ｒ１に流れる電流が４Ａ以上になってＶｂ≧Ｖｃ２になると、コンパレータＩＣ２の出力信号Ｖｓ２がハイレベルからローレベル（短絡レベル）に切り換わる。その結果、短絡保護回路９３のトランジスタＱ１３がオンになるため、パワーＩＣ８１の保護用入力端子ＳＴの入力信号Ｖｓｔがハイレベルに切り換わり、パワーＩＣ８１が動作を停止する。また、トランジスタＱ１３がオンになると、抵抗Ｒ３３、ダイオードＤ１、抵抗Ｒ１５を介してコンデンサＣ２が充電されるため、トランジスタＱ６のゲート電圧Ｖｆが上昇する。また、トランジスタＱ１３のオンにより電源回路ＶＣＣから電流が供給されて逆転ＬＥＤ５０が点灯する。
【０１２２】
パワーＩＣ８１の動作停止によりホッパーモータ５７への電力供給が停止すると、電流検出抵抗Ｒ１に電流が流れなくなるためコンパレータＩＣ２の入力電圧Ｖｃ２が上昇し、Ｖｂ＜Ｖｃ２になるとコンパレータＩＣ２の出力信号Ｖｓ２はハイレベルに戻る。すると、短絡保護回路９３のトランジスタＱ１３がオフに戻るため、パワーＩＣ８１の保護用入力端子ＳＴの入力信号Ｖｓｔがローレベルに戻って、パワーＩＣ８１が動作可能状態に復帰する。ここで、制御用入力端子ＩＮ２は、メインＣＰＵ６１からの正転信号によりローレベルにされているため、パワーＩＣ８１は、ホッパーモータ５７への電力供給を再開する。しかし、上記短絡状態が続いているため、電流検出抵抗Ｒ１に４Ａ以上の過電流が流れることになり、再びパワーＩＣ８１が動作を停止する。
【０１２３】
このように、パワーＩＣ８１が動作停止および動作再開を繰り返すと、短絡保護回路９３のトランジスタＱ１３がオンの期間にコンデンサＣ２が充電され、トランジスタＱ６のゲート電圧Ｖｆが徐々に上昇して、以下、上記実施形態と同様に動作する。即ち、Ｖｆ＞Ｖｔｈになると、トランジスタＱ６（本発明の「ラッチ回路」に相当）がオンになり、コンパレータＩＣ２の出力信号Ｖｓ２がローレベルにラッチ（保持）される。その結果、トランジスタＱ１３がオンにラッチされるため、保護用入力端子ＳＴの入力信号Ｖｓｔがハイレベルにラッチ（保持）されて、パワーＩＣ８１が動作停止状態にラッチされる。また、逆転ＬＥＤ５０は、パワーＩＣ８１が動作停止および動作再開を繰り返している間は点滅を繰り返し、トランジスタＱ１３がオンにラッチされると点灯したままになる。
【０１２４】
なお、図１５Ａ、図１５Ｂにおいて、短絡保護を解除するときの各回路の動きについては、ラッチ解除回路９７が上記実施形態と同一構成であり、短絡保護遅延回路９５も、ダイオードＤ１のアノードの接続先以外は上記実施形態と同一構成であるため、上記実施形態と同様に動作する。
【０１２５】
続いて、例えばホッパーモータ５７の停止中に、ダイオードＤ１、コンデンサＣ２、抵抗Ｒ１５からなる検波回路９９と、配線および基板パターンによるアンテナとにより構成される不正電波検出手段により不正電波が検出されると、ダイオードＤ１により半波端整流された直流成分のハイレベルの検出信号がコンデンサＣ２に流れてコンデンサＣ２が充電され、コンデンサＣ２の充電に伴ってトランジスタＱ６のゲート電圧Ｖｆが徐々に上昇し、Ｖｆ＞ＶｔｈになるとトランジスタＱ６がオンしてコンパレータＩＣ２の両入力端子の電圧がＶｂ≧Ｖｃ２にラッチ（保持）され、コンパレータＩＣ２の出力信号Ｖｓ２がローレベルにラッチ（保持）されてトランジスタＱ１３がオンにラッチされるため、パワーＩＣ８１の保護用入力端子ＳＴの入力信号Ｖｓｔがハイレベルにラッチ（保持）され、パワーＩＣ８１の動作が停止されてホッパーモータ５７への電力供給が停止される。
【０１２６】
なお、図１５Ａ、図１５Ｂにおいて、不正電波検出によるパワーＩＣ８１の停止を解除するときの各回路の動きについては、ラッチ解除回路９７が上記実施形態と同一構成であり、短絡保護遅延回路９５も、ダイオードＤ１のアノードの接続先以外は上記実施形態と同一構成であるため、上記実施形態と同様に動作する。
【０１２７】
図１６Ａ，１６Ｂは、第２変形形態の具体的な回路構成を示す回路図である。なお、上記実施形態（図６Ａ，６Ｂ）と同一機能を果たすものには同一符号を付し、相違点を中心に説明する。この第２変形形態では、ロック検出回路８３、短絡検出回路９１、短絡保護遅延回路９５、ラッチ解除回路９７は、上記実施形態（図６Ａ，６Ｂ）と同一構成になっている。また、ロック遅延保護回路８５は、抵抗Ｒ１３およびトランジスタＱ３が除かれている点以外は上記実施形態と同一構成であり、パワーＩＣ８１の保護用入力端子ＳＴは、トランジスタＱ２と抵抗Ｒ１２との接続点に接続されている。
【０１２８】
また、第２変形形態のパワーＩＣ８１は、保護用入力端子ＳＴの入力信号Ｖｓｔのレベルの高低と動作可能状態との関係が上記実施形態と逆になっている。即ち、第２変形形態のパワーＩＣ８１は、上記第１変形形態（図１５Ａ，１５Ｂ）と同様に、保護用入力端子ＳＴの入力信号Ｖｓｔがローレベル（許可レベル）のときはモータ用出力端子ＯＵＴ１，ＯＵＴ２からホッパーモータ５７への電力供給が可能となる一方、保護用入力端子ＳＴの入力信号Ｖｓｔがハイレベル（禁止レベル）のときはモータ用出力端子ＯＵＴ１，ＯＵＴ２からホッパーモータ５７への電力供給が不可能となるように構成されている点のみ、上記実施形態と相違している。
【０１２９】
パワーＩＣ８１の保護用入力端子ＳＴは、抵抗Ｒ１２を介してグラウンドにプルダウンされているため、保護用入力端子ＳＴの入力信号Ｖｓｔは、ローレベルになっており、パワーＩＣ８１は動作可能状態になっている。そこで、メインＣＰＵ６１からパワーＩＣ８１の制御用入力端子ＩＮ２に正転信号が入力されると、パワーＩＣ８１は、モータ用出力端子ＯＵＴ２をグラウンドに接続するとともにモータ用出力端子ＯＵＴ１からホッパーモータ５７への電力供給を開始し、これによってホッパーモータ５７が正転を開始する。
【０１３０】
そして、電流検出抵抗Ｒ１に定常電流が流れている正常状態、即ちＶｃ２≧Ｖｂのときは、コンパレータＩＣ２の出力信号Ｖｓ２がローレベル（正常レベル）になっている。したがって、短絡保護回路９３のトランジスタＱ１５がオフになっており、これによってトランジスタＱ１４がオフになっているため、抵抗Ｒ１２を介してグラウンドにプルダウンされているパワーＩＣ８１の保護用入力端子ＳＴの入力信号Ｖｓｔはローレベルに保持され、これによってパワーＩＣ８１は継続して動作可能状態になっている。
【０１３１】
この状態で、ホッパーモータ５７がロックし、サイリスタＱ１がオンになり、トランジスタＱ２がオンになると、パワーＩＣ８１の保護用入力端子ＳＴの入力信号Ｖｓｔのレベルが電源回路ＶＣＣの電圧Ｖｃｃに上昇して、パワーＩＣ８１が動作を停止する。
【０１３２】
また、ホッパーモータ５７の正端子またはモータ用出力端子ＯＵＴ１と、ホッパーモータ５７の負端子、モータ用出力端子ＯＵＴ２またはグラウンドとの間で短絡が生じ、Ｖｂ＞Ｖｃ２になると、コンパレータＩＣ２の出力信号Ｖｓ２がローレベルからハイレベル（短絡レベル）に切り換わる。その結果、短絡保護回路９３のトランジスタＱ１５がオンになり、これによってトランジスタＱ１４がオンになるため、パワーＩＣ８１の保護用入力端子ＳＴの入力信号Ｖｓｔが電源回路ＶＣＣにプルアップされてハイレベルに切り換わり、パワーＩＣ８１が動作を停止する。また、トランジスタＱ１５のオンにより電源回路ＶＣＣから電流が供給されて逆転ＬＥＤ５０が点灯する。
【０１３３】
以下、パワーＩＣ８１が動作停止および動作再開を繰り返した後にパワーＩＣ８１が動作停止状態にラッチされる動作と、逆転スイッチ４９が押されてラッチが解除されるときの動作は、上記実施形態と同様に行われる。
【０１３４】
また、例えばホッパーモータ５７の停止中に、ダイオードＤ１、コンデンサＣ２、抵抗Ｒ１５からなる検波回路と、配線および基板パターンによるアンテナとにより構成される不正電波検出手段により不正電波が検出されると、ダイオードＤ１により半波整流された直流成分のハイレベルの検出信号がコンデンサＣ２に流れてコンデンサＣ２が充電され、コンデンサＣ２の充電に伴ってトランジスタＱ６のゲート電圧Ｖｆが徐々に上昇し、Ｖｆ＞ＶｔｈになるとトランジスタＱ６がオンしてコンパレータＩＣ２の両入力端子の電圧がＶｂ＞Ｖｃ２にラッチ（保持）され、コンパレータＩＣ２の出力信号Ｖｓ２がハイレベルにラッチ（保持）されるため、トランジスタＱ１５がオンにラッチされてトランジスタＱ１４がオンにラッチされ、これによってパワーＩＣ８１の保護用入力端子ＳＴの入力信号Ｖｓｔがハイレベルにラッチ（保持）され、パワーＩＣ８１の動作が停止されてホッパーモータ５７への電力供給が停止される。また、トランジスタＱ１５のオンにより電源回路ＶＣＣから電流が供給されて逆転ＬＥＤ５０が点灯する。
【０１３５】
なお、図１６Ａ、図１６Ｂにおいて、不正電波検出によるパワーＩＣ８１の停止を解除するときの各回路の動きについては、ラッチ解除回路９７が上記実施形態と同一構成であり、短絡保護遅延回路９５も、ダイオードＤ１のアノードの接続先以外は上記実施形態と同一構成であるため、上記実施形態と同様に動作する。
【０１３６】
以上説明したように、第１変形形態、第２変形形態によれば、
・短絡検出回路９１のコンパレータＩＣ２の短絡検出用基準電圧Ｖｂおよび入力電圧Ｖｃ２と反転入力端子および非反転入力端子との関係、
・短絡保護遅延回路９５の積分回路の充電により短絡保護回路９３がラッチされる点、
・パワーＩＣ８１の保護用入力端子ＳＴの入力信号Ｖｓｔのレベルの高低とパワーＩＣ８１の動作可能状態との関係
のいずれかまたは複数が上記実施形態と相違しているだけであり、いずれの変形形態も上記実施形態と同様の効果を奏することができる。ここで、短絡保護遅延回路９５の積分回路の放電により短絡保護回路９３がラッチされ、上記実施形態と同様の効果を奏するように構成してもよいのは言うまでもない。
【０１３７】
更に、例えば、上記実施形態および各変形形態では、ホッパーモータ５７の短絡時に短絡保護回路９３によりホッパーモータ５７への電力供給の停止および再開を繰り返し、所定の遅延時間Ｔ３の経過後に、ホッパーモータ５７への電力供給を停止状態にラッチしているが、これに限られない。例えばロック遅延保護回路８５と同様に、短絡の検出時点から所定時間の経過後に、パワーＩＣ８１の保護用入力端子ＳＴの入力信号Ｖｓｔを禁止レベルにラッチ（保持）するようにしてもよい。ただし、この場合には、短絡による過電流が連続的に流れることになるため、ラッチまでの所定時間を上記実施形態および各変形形態の遅延時間（上記実施形態ではＴ３）に比べて小さい値に設定する必要がある。
【図面の簡単な説明】
【０１３８】
【図１】本発明にかかるパワーＩＣの保護装置の一実施形態を備えたスロットマシンの外観を示す斜視図である。
【図２】スロットマシンの要部の内部構成を示す右側面図である。
【図３】ホッパータンクを取り外した状態のホッパーユニットの斜視図である。
【図４】スロットマシンの電気的構成を示すブロック図である。
【図５】ホッパーモータの制御回路の機能ブロックを示すブロック図である。
【図６Ａ】図５の具体的な回路例の要部を示す回路図である。
【図６Ｂ】図５の具体的な回路例の要部を示す回路図である。
【図７】ホッパーモータがロックしたときの各部の電圧信号レベルの推移を示すタイミングチャートである。
【図８】ロック保護を解除するときの各部の電圧信号レベルの推移を示すタイミングチャートである。
【図９】ホッパーモータの正端子と負端子とが短絡したときの各部の電圧信号レベルの推移を示すタイミングチャートである。
【図１０】短絡保護の解除時に短絡が解消されている場合の各部の電圧信号レベルの推移を示すタイミングチャートである。
【図１１】短絡保護の解除時に短絡が続いている場合の各部の電圧信号レベルの推移を示すタイミングチャートである。
【図１２】不正電波を検出したときの各部の電圧信号レベルの推移を示すタイミングチャートである。
【図１３】不正電波検出によるパワーＩＣの停止解除時に不正電波の照射が解消されている場合の各部の電圧信号レベルの推移を示すタイミングチャートである。
【図１４】不正電波検出によるパワーＩＣの停止解除時に不正電波の照射が続いている場合の各部の電圧信号レベルの推移を示すタイミングチャートである。
【図１５Ａ】第１変形形態を示す回路図である。
【図１５Ｂ】第１変形形態を示す回路図である。
【図１６Ａ】第２変形形態を示す回路図である。
【図１６Ｂ】第２変形形態を示す回路図である。
【符号の説明】
【０１３９】
１…スロットマシン、４５…ホッパーユニット、４９…逆転スイッチ、５７…ホッパーモータ、５９…モータ制御基板、８１…パワーＩＣ、８３…ロック検出回路、８５…ロック遅延保護回路、９１…短絡検出回路、９３…短絡保護回路、９５…短絡保護遅延回路、９７…ラッチ解除回路、９９…検波回路、Ｄ１…ダイオード（検波回路）、Ｃ２…コンデンサ（積分回路、検波回路）、ＩＣ２…コンパレータ（比較回路、ラッチ回路）、ＯＵＴ１，ＯＵＴ２…モータ用出力端子（出力端子）、Ｑ６…トランジスタ（ラッチ回路）、Ｒ１…電流検出抵抗、Ｒ４，Ｒ５…抵抗（基準電圧生成回路）、Ｒ１５…抵抗（積分回路、検波回路）、ＳＴ…保護用入力端子、ＶＤＤ…モータ電源回路（電源回路、基準電圧生成回路）
【図１】
2008161296.tif 000003
【図２】
2008161296.tif 000004
【図３】
2008161296.tif 000005
【図４】
2008161296.tif 000006
【図５】
2008161296.tif 000007
【図６Ａ】
2008161296.tif 000008
【図６Ｂ】
2008161296.tif 000009
【図７】
2008161296.tif 000010
【図８】
2008161296.tif 000011
【図９】
2008161296.tif 000012
【図１０】
2008161296.tif 000013
【図１１】
2008161296.tif 000014
【図１２】
2008161296.tif 000015
【図１３】
2008161296.tif 000016
【図１４】
2008161296.tif 000017
【図１５Ａ】
2008161296.tif 000018
【図１５Ｂ】
2008161296.tif 000019
【図１６Ａ】
2008161296.tif 000020
【図１６Ｂ】
2008161296.tif 000021